(57)【要約】【課題】  複数の画像処理装置間で機器情報を送受信して、機器情報の同期を行う画像処理装置同期システムにおいて、拠点のプライマリ配付サーバとなる画像処理装置で故障等の不具合が発生した場合は、適切な画像処理装置が自動的に配付サーバの代行をする。【解決手段】  画像処理装置102aは拠点102内での機器情報配付の際に、配付成功数、配付情報差分数を子機102b〜103dごとに記録し、その情報を元に拠点102のセカンダリ配付サーバを選出しておく。画像処理装置102a蛾故障した場合には、セカンダリとして選ばれている画像処理装置が拠点102の配付サーバを代行する。【選択図】  図１
2006148305.tif 000002
【特許請求の範囲】
【請求項１】
複数の画像処理装置をネットワークを介して接続し、リファレンス機である画像処理装置は内部の機器情報を他の画像処理装置（以下、子機）へ送信し、前記子機は受信した機器情報によって内部の機器情報を更新し、前記子機がリファレンス機の役割を持つ場合は、更にその子機へと機器情報を送信することを特徴とする複数の画像処理装置で機器情報の同期をとる画像処理装置同期システムであって、
リファレンス機は、定期的に機器情報を配布する自動配付手段と、前記自動配付手段の配付宛先として複数設定可能で其々にプライマリ子機とセカンダリ子機を登録可能な自動配付宛先登録手段と、前記自動配付手段によってプライマリ子機への配布が失敗した場合にはセカンダリ子機への配付を行なう自動配付切替手段と、
を有することを特徴とする画像処理装置同期システム。
【請求項２】
前記自動配付宛先登録手段において、前記プライマリ子機が自動的にセカンダリ子機候補を決定し、リファレンス機に通知し、セカンダリ子機として登録することを特徴とする請求項１記載の画像処理装置同期システム。
【請求項３】
前記自動配付宛先登録手段において、前記プライマリ子機は、自機の子機群の中から、自動配付の成功数が最も多い子機をセカンダリ子機候補として決定することを特徴とする請求項２記載の画像処理装置同期システム。
【請求項４】
前記自動配付宛先登録手段において、前記プライマリ子機は、自機の子機群の中から、自動配付した機器情報と最も多くの数を同期した子機をセカンダリ子機候補として決定することを特徴とする請求項２記載の画像処理装置同期システム。
【請求項５】
前記プライマリ子機は、前記自動配付宛先登録手段により登録されている配付宛先情報を定期的に前記セカンダリ子機に送信し、前記セカンダリ子機は一定期間プライマリ子機からの自動配付がない場合には、前記配付宛先情報を参照して、プライマリ子機が自動配付していた子機群に対して代行して自動配付を行なうことを特徴とする請求項３、４記載の画像処理装置同期システム。
【請求項６】
前記セカンダリ子機が、プライマリ子機の代行を始める際には、ユーザにメールで通知することを特徴とする請求項５記載の画像処理装置同期システム。
【発明の詳細な説明】
【技術分野】
【０００１】
この発明は、画像処理装置の機器情報同期システムに関するものである。
【背景技術】
【０００２】
従来から、画像処理送信装置の機器情報を複数の画像処理装置にわたって同期させるための手段として、大別するとプッシュ型とプル型が存在している。このうちプッシュ型の実施形態としては、ある画像処理装置の機器情報をＷＷＷブラウザなどによりコンピュータにダウンロードしたものか、もしくはコンピュータ上で作成された機器情報を、目的とする画像処理装置それぞれにアップロードするといった手段が用いられていた。
【０００３】
また、近年では、コンピュータを利用せずに画像処理装置同士が直接機器情報を送受信することにより機器情報を同期するといった手段が、画像処理装置以外のコンピュータを必要としない利便性から次第に用いられつつある。（特許文献１参照）
【特許文献１】特開２００１−３３９５６１号公報
【発明の開示】
【発明が解決しようとする課題】
【０００４】
画像処理装置同士が直接機器情報を送受信するプッシュ型の同期システムを考えた場合には、図１のような接続形態が考えられる。拠点１０１〜１０３毎にリファレンス機が１台存在し（画像処理装置１０１ａ，画像処理装置１０２ａ，画像処理装置１０３ａ）、其々の拠点には受信側となる子機が複数存在する（画像処理装置１０１ｂ〜ｄ、画像処理装置１０２ｂ〜ｄ、画像処理装置１０３ｂ〜ｆ）。画像処理装置１０１ａ→画像処理装置１０２ａ→画像処理装置１０３ａへと機器情報を配付し、リファレンス機は其々の子機へと配付を行う。この場合、画像処理装置１０２ａで故障やネットワークの不具合が起きた場合には画像処理装置１０２ｂ〜ｄ、画像処理を打ち１０３ａ〜ｄへ機器情報が配付されなくなる。この場合ユーザが手動でフ拠点１０２のリファレンス機をたてることが必要になるが、システム管理者が機器情報を毎日定時に自動同期するように設定した場合、ユーザが介在しない状態で機器情報の書き換えが行われるようになり、画像処理装置１０２ａの不具合に気づかず、放置されたままになる可能性が高い。また、拠点１０２にある画像処理装置１０２ｂ〜ｄがモデルやオプション類が多様化している場合は、どれをリファレンス機とするのが妥当であるのかの判断がつきにくくなる。例えばローエンドモデルの画像処理装置をリファレンス機とした場合には、その子機の画像処理装置へ配付される情報は少なくなる。
【０００５】
このような背景から、画像処理装置の同期システムの保全性を保ちつつ、適切なリファレンス機をたてる仕組みが求められるようになってきた。
【課題を解決するための手段】
【０００６】
前記課題を解決するための手段として、請求項１の発明の画像処理装置同期システムは、複数の画像処理装置をネットワークを介して接続し、リファレンス機である画像処理装置は内部の機器情報を他の画像処理装置（以下、子機）へ送信し、前記子機は受信した機器情報によって内部の機器情報を更新し、前記子機がリファレンス機の役割を持つ場合は、更にその子機へと機器情報を送信することを特徴とする複数の画像処理装置で機器情報の同期をとる画像処理装置同期システムであって、リファレンス機は、定期的に機器情報を配布する自動配付手段と、前記自動配付手段の配付宛先として複数設定可能で其々にプライマリ子機とセカンダリ子機を登録可能な自動配付宛先登録手段と、前記自動配付手段によってプライマリ子機への配付が失敗した場合にはセカンダリ子機への配付を行なう自動配付切替手段を備えたものである。
【０００７】
さらに、請求項２の発明の画像処理装置同期システムは、請求項１の発明に加えて、前記自動配付宛先登録手段において、前記プライマリ子機が自動的にセカンダリ子機候補を決定し、リファレンス機に通知し、セカンダリ子機として登録する手段を備えたものである。
【０００８】
さらに、請求項３の発明の画像処理装置同期システムは、請求項２の発明に加えて、前記自動配付宛先登録手段において、前記プライマリ子機は、自機の子機群の中から、自動配付の成功数が最も多い子機をセカンダリ子機候補として決定する手段を備えたものである。
【０００９】
さらに、請求項４の発明の画像処理装置同期システムは、請求項２の発明に加えて、前記自動配付宛先登録手段において、前記プライマリ子機は、自機の子機群の中から、自動配付した機器情報と最も多くの数を同期した子機をセカンダリ子機候補として決定する手段を備えたものである。
【００１０】
さらに、請求項５の発明の画像処理装置同期システムは、前記プライマリ子機は、前記自動配付宛先登録手段により登録されている配付宛先情報を定期的に前記セカンダリ子機に送信し、前記セカンダリ子機は一定期間プライマリ子機からの自動配付がない場合には、前記配付宛先情報を参照して、プライマリ子機が自動配付していた子機群に対して代行して自動配付を行なう手段を備えたものである。
【００１１】
さらに、請求項６の発明の画像処理装置同期システムは、請求項５の発明に加えて、前記セカンダリ子機が、プライマリ子機の代行を始める際には、ユーザにメールで通知する手段を備えたものである。
【発明の効果】
【００１２】
本発明の請求項１の発明の画像処理装置同期システムは、複数の画像処理装置をネットワークを介して接続し、リファレンス機である画像処理装置は内部の機器情報を他の画像処理装置（以下、子機）へ送信し、前記子機は受信した機器情報によって内部の機器情報を更新し、前記子機がリファレンス機の役割を持つ場合は、更にその子機へと機器情報を送信することを特徴とする複数の画像処理装置で機器情報の同期をとる画像処理装置同期システムであって、リファレンス機は、定期的に機器情報を配布する自動配付手段と、前記自動配付手段の配付宛先として複数設定可能で其々にプライマリ子機とセカンダリ子機を登録可能な自動配付宛先登録手段と、前記自動配付手段によってプライマリ子機への配布が失敗した場合にはセカンダリ子機への配付を行なう自動配付切替手段を備えたものである。
【００１３】
これにより、プライマリ子機で不具合が発生した場合にセカンダリ子機へと配付することが可能になる。
【００１４】
さらに、請求項２の発明の画像処理装置同期システムは、請求項１の発明に加えて、前記自動配付宛先登録手段において、前記プライマリ子機が自動的にセカンダリ子機候補を決定し、リファレンス機に通知し、セカンダリ子機として登録する手段を備えたものである。
【００１５】
これにより、ユーザによるセカンダリ子機の設定処理を省略することができ、プライマリ子機のエリアの中からセカンダリ子機を自動的に登録されることになる。
【００１６】
さらに、請求項３の発明の画像処理装置同期システムは、請求項２の発明に加えて、前記自動配付宛先登録手段において、前記プライマリ子機は、自機の子機群の中から、自動配付の成功数が最も多い子機をセカンダリ子機候補として決定する手段を備えたものである。
【００１７】
これにより、プライマリ子機のエリアから最も信頼性の高い子機をセカンダリ子機として登録することができる。
【００１８】
さらに、請求項４の発明の画像処理装置同期システムは、請求項２の発明に加えて、前記自動配付宛先登録手段において、前記プライマリ子機は、自機の子機群の中から、自動配付した機器情報と最も多くの数を同期した子機をセカンダリ子機候補として決定する手段を備えたものである。
【００１９】
これにより、プライマリ子機のエリアから最もプライマリ子機に近い製品形態を持つ子機をセカンダリ子機として登録することができる。プライマリ子機に不具合が発生して、セカンダリ子機がそのエリアのリファレンスとなった場合でも従来に近い同期システムを構築することが可能となる。
【００２０】
さらに、請求項５の発明の画像処理装置同期システムは、請求項３，４の発明に加えて、前記プライマリ子機は、前記自動配付宛先登録手段により登録されている配付宛先情報を定期的に前記セカンダリ子機に送信し、前記セカンダリ子機は一定期間プライマリ子機からの自動配付がない場合には、前記配付宛先情報を参照して、プライマリ子機が自動配付していた子機群に対して代行して自動配付を行なう手段を備えたものである。
【００２１】
これにより、プライマリ子機に不具合が発生した場合に、そのエリアのリファレンス業務を代行することができる。
【００２２】
さらに、請求項６の発明の画像処理装置同期システムは、請求項５の発明に加えて、前記セカンダリ子機が、プライマリ子機の代行を始める際には、ユーザにメールで通知する手段を備えたものである。
【００２３】
これにより、プライマリ子機が故障したことをユーザに知らせることができる。
【発明を実施するための最良の形態】
【００２４】
（実施例１）
以下に実施例１を示す。
【００２５】
図２は、画像処理装置同期システムの構成図である。
【００２６】
複合機１００１ａ〜１００３ｃは原稿を読み取り、さまざまな装置に送信する装置である。複合機１００１ａは複合機１００１ｂ、複合機１００１ｃ、複合機１００２ａへ機器内の機器情報を配付し、複合機１００２ａは複合機１００２ｂ、複合機１００２ｃ、複合機１００３ａへ機器情報を配付する。複合機１００３ａは複合機１００３ｂ複合機１００３ｃへ機器情報を配付する。其々の複合機で機器情報を受信すると、機器内の機器情報を更新する。ネットワーク１０００は、複合機１００１ａ〜１００３ｃが接続されるネットワークである。
【００２７】
この例では、ネットワーク１０００を利用し、クライアントコンピュータを介さずに複合機間で機器情報を直接アップロードしている。このときの接続媒体については双方向通信可能なものであればいずれでも構わず、その接続媒体上において複写機の相互間においてデータ送受信に使用されるプロトコルもＨＴＴＰ（Ｈｙｐｅｒ  Ｔｅｘｔ  Ｔｒａｎｓｆｅｒ  Ｐｒｏｔｏｃｏｌ）、ＳＯＡＰ（Ｓｉｍｐｌｅ  Ｏｂｊｅｃｔ  Ａｃｃｅｓｓ  Ｐｒｏｔｏｃｏｌ）、ＦＴＰ（Ｆｉｌｅ  Ｔｒａｎｓｆｅｒ  Ｐｒｏｔｏｃｏｌ）など既存のプロトコルのいずれでも構わず、まったく独自のアプリケーションプロトコルであっても構わない。
【００２８】
図３は、システムブロック図であり、複合機１００１ａ〜１００３ｃに実装される。
【００２９】
Ｃｏｎｔｒｏｌｌｅｒ  Ｕｎｉｔ  ２０００は画像入力デバイスであるＳｃａｎｎｅｒ２０７０や画像出力デバイスであるＰｒｉｎｔｅｒ２０９５と接続し、一方ではＬＡＮ２０１１や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６はタッチパネルを有した操作部（ＵＩ）２０１２とのインターフェース部で、操作部２０１２に表示する画像データを操作部２０１２に対して出力する。また、操作部２０１２から本システム使用者が入力した情報を、ＣＰＵ２００１に伝える役割をする。Ｎｅｔｗｏｒｋ  Ｉ／Ｆ２０１０はＬＡＮ２０１１に接続し、情報の入出力を行う。Ｍｏｄｅｍ２０５０は公衆回線２０５１に接続し、情報の入出力を行う。以上のデバイスがシステムバス２００７上に配置される。Ｉｍａｇｅ  Ｂｕｓ  Ｉ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像データはＪＢＩＧ、ＭＭＲ、ＭＨの圧縮伸張処理を行う。ＩＣ  Ｃａｒｄ  Ｓｌｏｔ２１００はＩＣカードメディアを挿入した後に適切なＰＩＮ（Ｐｅｒｓｏｎａｌ  Ｉｄｅｎｔｉｆｉｅｒ  Ｎｕｍｂｅｒ）コードを入力することにより、暗号・復号に用いる鍵の入出力を行うことが可能となる。暗号・復号処理部２１１０はＩＣ  Ｃａｒｄ  Ｓｌｏｔ２１００の鍵を用いてデータの暗号化・複合化処理を行うハードウェアアクセラレータボードである。
【００３０】
図４は、複合機１００１ａ，１００２ａ，１００３ａで設定されている自動配付宛先テーブルの一例である。自動配付宛先テーブルにはプライマリに加えてセカンダリが必要に応じて登録可能である。３００１は複合機１００１ａが保持している自動配付宛先テーブルである。３００２は複合機１００２ａが保持している自動配付宛先テーブルである。３００４は１００３ａが保持している自動配付宛先テーブルである。実施例１におけるシステムでは、１００１ａ、１００２ａ、１００３ａがそれぞれの拠点のリファレンス機となっており、リファレンス機が自動配付宛先テーブルのプライマリとして登録されている場合はリファレンス機と同じ拠点の複合機をセカンダリとして登録することになる。
【００３１】
図５は、自動配付開始時刻指定テーブルである。リファレンス機が機器情報を毎日あるいは曜日ごとに定時に自動配付することが可能である。この情報はシステム管理者がリファレンス機のＵＩから設定することになる。
【００３２】
図６は、複合機１００１ａ、１００２ａ、１００３ａで記録される配付宛先ごとの配付成功数と配付した機器機器情報のうち子機側で設定できなかった情報数を示す成功／差分数テーブルである。実施例１の構成では、システム管理者が機器情報を毎日定時に自動配付するように設定した場合を考えている。リファレンス機では、自動配付時に各宛先ごとに、配付が成功した場合には成功数の列をインクリメントし、配付した機器情報のうち子機側で設定されなかった情報数を差分数の列に記録している。
【００３３】
図７は、複合機１００２ａにおいて、図５で設定されている時刻になった場合に発生する機器情報自動配付イベントの一連の処理を示すフローチャートである。
【００３４】
Ｓ１０００１において機器情報自動配付イベントが発生した場合、Ｓ１０００２で配付宛先テーブル４００２を参照し、プライマリに指定されている複合機１００２ｂへ機器情報の配付を行なう。配付が成功した場合は（Ｓ１０００３）、Ｓ１０００４で成功／差分情報テーブルの複合機１００２ｂの成功数、差分数を更新し、失敗の場合は（Ｓ１０００３）、Ｓ１０００５へ進み複合機１００２ｃへの機器情報配付処理を行う。成功の場合は（Ｓ１０００６）、Ｓ１０００７で成功／差分情報テーブルの複合機１００２ｃの成功数、差分数を更新し、失敗の場合は（Ｓ１０００６）は、Ｓ１０００８へ進み複合機１００３ａへの機器情報配付処理を行う。成功の場合は（Ｓ１０００９）、Ｓ１００１０で成功／差分情報テーブルの複合機１００３ａの成功数、差分数を更新し、失敗の場合は（Ｓ１０００９）、複合機１００３ａにはセカンダリとして複合機１００３ｂが設定されているので、Ｓ１００１１で１００３ｂへの機器情報配付処理を行う。成功の場合は（Ｓ１００１２）、Ｓ１００１３で成功／差分情報テーブルの複合機１００３ｂの成功数、差分数を更新する。そして機器情報自動配付イベントは終了する。
【００３５】
図８は、複合機１００２ａで行なわれるセカンダリ候補送信処理である。複合機１００１ａの配付宛先のプライマリとして設定されていて且つ１００２拠点のリファレンス機である複合機１００２ａは、１００２拠点の中からセカンダリ候補を決定して複合機１００１ａに通知し、複合機１００１ａの自動配付宛先テーブル４００１の１００２ａに対するセカンダリを登録する。Ｓ２０００１においてセカンダリ候補送信処理イベントが発生した場合、成功数によってセカンダリ候補を決定する場合は（Ｓ２０００２）、Ｓ２０００３で成功／差分数テーブル４００２を参照して最も成功数が高い配付宛先である複合機１００２ｂをセカンダリ候補として決定する。Ｓ２０００４でセカンダリ候補である１００２ｂの宛先情報を複合機１００１ａへ送信する。複合機１００１ａでは複合機１００２ａに対するセカンダリとして複合機１００２ｂが登録される。差分数によってセカンダリ候補を決定する場合は（Ｓ２０００５）、Ｓ２０００６で成功／差分数テーブル４００２を参照して最も差分数が少ない配付宛先である複合機１００２ｂをセカンダリ候補として決定する。Ｓ２０００７でセカンダリ候補である１００２ｂの宛先情報を複合機１００１ａへ送信する。複合機１００１ａでは複合機１００２ａに対するセカンダリとして複合機１００２ｂを登録する。そしてセカンダリ候補送信処理イベントは終了する。
【００３６】
図９は、複合機１００２ａで行なわれる自動配付情報送信イベント処理である。複合機１００２ａが故障した場合には、複合機１００１ａはセカンダリである複合機１００２ｂへ機器情報を配布することになる。それに伴って複合機１００２ｂは複合機１００２ａに代わって拠点１００２のリファレンス機を代行し複合機１００２ｃと１００３ａへと機器情報配付を行なう。そのため複合機１００２ａは定期的にセカンダリの複合機１００２ｂに対して、自動配付宛先テーブル４００２と自動配付開始時刻指定テーブル５００２を定期的に送信する必要がある。Ｓ３０００１で自動配付情報送信イベントが発生すると、自機のセカンダリとして設定されている複合機がある場合は（Ｓ３０００２）、Ｓ３０００３でセカンダリ候補である複合機（本実施例では１００２ｂ）へ自動配付宛先テーブル４００２と自動配付開始時刻指定テーブル５００２を送信する。１００２ｂでは一定期間１００２ａからの配付がない場合には、４００２と５００２の情報を元に、拠点１００２のリファレンス機としての仕事を代行する。
【図面の簡単な説明】
【００３７】
【図１】本特許における基本的なシステム構成を示す図である。
【図２】実施例１における基本的なシステム構成を示す図である。
【図３】実施例１における複合機１００１ａ〜１００１ｃ、１００２ａ〜１００２ｃ、１００３ａ〜１００３ｃのシステムブロック図である。
【図４】実施例１における、複合機１００１ａ，１００２ａ，１００３ａの自動配付宛先テーブルである。
【図５】実施例１における自動配付開始時刻指定テーブルの一例である。
【図６】実施例１における、複合機１００１ａ，１００２ａ，１００３ａの成功数／差分数テーブルである。
【図７】実施例１における、複合機１００２ａの機器情報自動配付イベントの一連の処理を示すフローチャートである。
【図８】実施例１における、複合機１００２ａのセカンダリ候補送信イベントの一連の処理を示すフローチャートである。
【図９】実施例１における、複合機１００２ａの自動配付情報送信イベントの一連の処理を示すフローチャートである。
【符号の説明】
【００３８】
１０１  拠点
１０２  拠点
１０３  拠点
１０１ａ  画像処理装置
１０１ｂ  画像処理装置
１０１ｃ  画像処理装置
１０２ａ  画像処理装置
１０２ｂ  画像処理装置
１０２ｃ  画像処理装置
１０３ａ  画像処理装置
１０３ｂ  画像処理装置
１０３ｃ  画像処理装置
１０００  ネットワーク
１００１ａ  複合機
１００１ｂ  複合機
１００１ｃ  複合機
１００２ａ  複合機
１００２ｂ  複合機
１００２ｃ  複合機
１００３ａ  複合機
１００３ｂ  複合機
１００３ｃ  複合機
２０００  コントローラユニット
２００１  ＣＰＵ
２００２  ＲＡＭ
２００３  ＲＯＭ
２００４  ハードディスク
２００５  Ｉｍａｇｅ  Ｂｕｓ  Ｉ／Ｆ
２００６  操作部Ｉ／Ｆ
２００７  システムバス
２００８  画像バス
２０１０  Ｎｅｔｗｏｒｋ  Ｉ／Ｆ
２０１１  ＬＡＮ
２０１２  操作部
２０２０  デバイスＩ／Ｆ
２０３０  画像回転
２０４０  画像圧縮
２０５０  ＭＯＤＥＭ
２０５１  ＷＡＮ
２０６０  ＲＩＰ
２０７０  スキャナ
２０８０  スキャナ画像処理
２０９０  プリンタ画像処理
２０９５  プリンタ
２１００  ＩＣ  Ｃａｒｄ  Ｓｌｏｔ
２１１０  暗号・復号処理
４００１  複合機１００１ａの配付宛先テーブル
４００２  複合機１００２ａの配付宛先テーブル
４００３  複合機１００３ａの配付宛先テーブル
５０００  自動配付開始時刻指定テーブル
６００１  複合機１００１ａの成功数／差分数テーブル
６００２  複合機１００２ａの成功数／差分数テーブル
６００３  複合機１００３ａの成功数／差分数テーブル
【図１】
2006148305.tif 000003
【図２】
2006148305.tif 000004
【図３】
2006148305.tif 000005
【図４】
2006148305.tif 000006
【図５】
2006148305.tif 000007
【図６】
2006148305.tif 000008
【図７】
2006148305.tif 000009
【図８】
2006148305.tif 000010
【図９】
2006148305.tif 000011